(57)【要約】      （修正有）【課題】製造工程を簡略化出来かつ耐久性に優れたスライド型携帯電話用のスライダー組立体及びスライド型携帯電話を提供する。【解決手段】スライダー組立体のアップ／ダウン維持手段３０により、スライドプレート２０のスライド長さを制限することにより、携帯電話１０００の本体１やカバー２に別途のストッパーを設置しなくてもよくする。また、スライドプレートのアップ／ダウン状態を維持するための弾性手段として、トーションスプリングの代わりに引張スプリングを用いて、耐久性を増大させる。【選択図】図２４
2010161796.tif 000002
【特許請求の範囲】
【請求項１】
スライドプレートの直線運動をガイドするためのガイド部を有し、スライド型携帯電話の本体の一面に固定される固定プレートと、前記固定プレートの前記ガイド部に直線的にガイドされ、前記携帯電話のカバーの前記一面に対向する面に固定されるスライドプレートと、一端が前記固定プレートに回動可能に支持され、他端が前記スライドプレートに回動可能に支持され、前記スライドプレートの一定のスライドの位置から前記スライドプレートを押すための加圧力の方向が切り替えられるようにするためのアップ／ダウン維持手段と、を備えるスライド型携帯電話用のスライダー組立体において、
前記固定プレートの前記ガイド部は、前記固定プレートの両側に対向して２段に折り曲げられて平行に形成された一対の固定溝と、前記スライドプレートの両端が挿入され、スライドされることをガイドするためのガイド溝が形成され、前記それぞれの固定溝に挿設された一対のガイドブッシュと、を備え、
前記スライドプレートは、両側が折り曲げられ一対の羽根部が形成されており、前記羽根部の各々は、対応する前記ガイドブッシュの前記ガイド溝に挿入され、前記ガイド溝に沿って直線運動可能に設けられた
ことを特徴とするスライド型携帯電話用のスライダー組立体。
【請求項２】
前記ガイドブッシュよりも柔らかい材質であり、前記それぞれのガイドブッシュの長手方向の両端に、それぞれ前記固定プレートの長手方向の端部よりもさらに突出して設置され、前記携帯電話の前記カバーに固定された前記スライドプレートとの衝突により発生する衝撃を緩和させるためのダンパーをさらに備える
ことを特徴とする請求項１に記載のスライド型携帯電話用のスライダー組立体。
【請求項３】
前記ガイド部のそれぞれの前記固定溝の折り曲げられた側面には、複数の貫通孔が形成されており、前記それぞれのガイドブッシュとダンパーの前記ガイド部の前記固定溝に向かう面には、前記貫通孔に挿入され固定された突起が形成された
ことを特徴とする請求項２に記載のスライド型携帯電話用のスライダー組立体。
【請求項４】
前記ガイドブッシュは、ポリアセタールからなり、前記ダンパーは、ウレタンゴムからなる
ことを特徴とする請求項１乃至３のいずれか一つに記載のスライド型携帯電話用のスライダー組立体。
【請求項５】
前記スライドプレートに向かって前記固定プレートの両端部にそれぞれ設けられた一対の第１の永久磁石と、
前記固定プレートの両端部に設けられた前記それぞれの第１の永久磁石と反発力または引力が作用して、前記スライドプレートがアップ／ダウンされた位置で前記スライドプレートを外側に加圧できる位置において、前記スライドプレートに固定設置された一対の第２の永久磁石と、
をさらに備える
ことを特徴とする請求項４に記載のスライド型携帯電話用のスライダー組立体。
【請求項６】
前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備える
ことを特徴とする請求項５に記載のスライド型携帯電話用のスライダー組立体。
【請求項７】
前記アップ／ダウン維持手段は、一端が前記固定プレートに回動可能に固定され、他端が前記スライドプレートに回動可能に固定されたスプリングである
ことを特徴とする請求項６に記載のスライド型携帯電話用のスライダー組立体。
【請求項８】
前記アップ／ダウン維持手段は、一端が前記固定プレートにスライド可能に固定された第１のリンクスライダーと、前記第１のリンクスライダーの長手方向にスライド可能に拘束され、一端が前記スライドプレートに固定された第２のリンクスライダーと、両端がそれぞれ前記第１のリンクスライダー及び前記第２のリンクスライダーの他端部に固定された引張スプリングと、前記第１のリンクスライダーと第２のリンクスライダーのスライドをガイドしながら、前記スライドプレートのスライド長さを制限するための拘束手段と、を備える
ことを特徴とする請求項６に記載のスライド型携帯電話用のスライダー組立体。
【請求項９】
前記スライドプレートに向かって前記固定プレートの両端にそれぞれ設けられた一対の第１の永久磁石と、
前記固定プレートの両端部に設けられたそれぞれの第１の永久磁石と引力が作用して、前記スライドプレートがアップ／ダウンされた位置を維持するように、前記携帯電話の前記カバーに固定設置された一対の第２の永久磁石と、
を備える
ことを特徴とする請求項４に記載のスライド型携帯電話用のスライダー組立体。
【請求項１０】
前記スライドプレートの移動中に前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備える
ことを特徴とする請求項９に記載のスライド型携帯電話用のスライダー組立体。
【請求項１１】
前記アップ／ダウン維持手段は、一端が前記固定プレートに回動可能に固定され、他端が前記スライドプレートに回動可能に固定されたスプリングである
ことを特徴とする請求項９または１０に記載のスライド型携帯電話用のスライダー組立体。
【請求項１２】
前記アップ／ダウン維持手段は、一端が前記固定プレートにスライド可能に固定された第１のリンクスライダーと、前記第１のリンクスライダーの長手方向にスライド可能に拘束され、一端が前記スライドプレートに固定された第２のリンクスライダーと、両端がそれぞれ前記第１のリンクスライダー及び前記第２のリンクスライダーの他端部に固定された引張スプリングと、前記第１のリンクスライダーと第２のリンクスライダーのスライドをガイドしながら、前記スライドプレートのスライド長さを制限するための拘束手段と、を備える
ことを特徴とする請求項９または１０に記載のスライド型携帯電話用のスライダー組立体。
【請求項１３】
スライドプレートの直線運動をガイドするためのガイド部を有し、スライド型携帯電話の本体の一面に固定される固定プレートと、前記固定プレートの前記ガイド部に直線的にガイドされ、前記携帯電話のカバーの前記一面に対向する面に固定されるスライドプレートと、一端が前記固定プレートに回動可能に支持され、他端が前記スライドプレートに回動可能に支持され、前記スライドプレートの一定のスライドの位置から前記スライドプレートを押すための加圧力の方向が切り替えられるようにするためのアップ／ダウン維持手段と、を備えるスライド型携帯電話用のスライダー組立体において、
前記アップ／ダウン維持手段は、一端が前記固定プレートにスライド可能に固定された第１のリンクスライダーと、前記第１のリンクスライダーの長手方向にスライド可能に拘束され、一端が前記スライドプレートに固定された第２のリンクスライダーと、両端がそれぞれ前記第１のリンクスライダー及び前記第２のリンクスライダーの他端部に固定された引張スプリングと、前記第１のリンクスライダーと第２のリンクスライダーのスライドをガイドしながら、前記スライドプレートのスライド長さを制限するための拘束手段と、を備える
ことを特徴とするスライド型携帯電話用のスライダー組立体。
【請求項１４】
前記拘束手段は、前記第１または第２のリンクスライダーのいずれか一つのリンクスライダーに長手方向に形成された一定の長さのガイド溝と、残りのリンクスライダーに固定され、前記ガイド溝に収容されて前記残りのリンクスライダーのスライドをガイドするためのガイド突起と、を備える
ことを特徴とする請求項１３に記載のスライド型携帯電話用のスライダー組立体。
【請求項１５】
前記第１のリンクスライダー及び第２のリンクスライダーは、同一の板状であり、
前記ガイド溝は、それぞれのリンクスライダーに貫通形成され、前記ガイド突起は、それぞれのリンクスライダーに固定されたピンであり、前記ピンは、頭部の直径が前記ガイド溝の幅よりも大きい
ことを特徴とする請求項１４に記載のスライド型携帯電話用のスライダー組立体。
【請求項１６】
前記第１のリンクスライダー及び第２のリンクスライダーは、同一の板状であり、
前記ガイド溝は、それぞれのリンクスライダーに貫通形成され、前記ガイド突起は、それぞれのリンクスライダーの一部を部分的に切開して該部分的に切開された部分を対応するガイド溝側に折曲形成された突起であり、前記ピンは、頭部の直径が前記ガイド溝の幅よりも大きい
ことを特徴とする請求項１４に記載のスライド型携帯電話用のスライダー組立体。
【請求項１７】
前記それぞれのリンクスライダーの他端部には、長手方向に対して垂直な方向に両側から突出したスプリング係止部が形成されており、
一対のスプリングが、前記第１のリンクスライダー及び第２のリンクスライダーの前記それぞれの対応するスプリング係止部間に設けられた
ことを特徴とする請求項１５または１６に記載のスライド型携帯電話用のスライダー組立体。
【請求項１８】
前記スライドプレートに向かって前記固定プレートの両端部にそれぞれ設けられた一対の第１の永久磁石と、
前記固定プレートの両端部に設けられた前記それぞれの第１の永久磁石と反発力または引力が作用して、前記スライドプレートがアップ／ダウンされた位置で前記スライドプレートを外側に加圧できる位置において、前記スライドプレートに固定設置された一対の第２の永久磁石と、
をさらに備える
ことを特徴とする請求項１７に記載のスライド型携帯電話用のスライダー組立体。
【請求項１９】
前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備える
ことを特徴とする請求項１８に記載のスライド型携帯電話用のスライダー組立体。
【請求項２０】
前記スライドプレートに向かって前記固定プレートの両端部にそれぞれ設けられた一対の第１の永久磁石と、
前記固定プレートの両端部に設けられたそれぞれの第１の永久磁石と引力が作用して、前記スライドプレートがアップ／ダウンされた位置を維持するように、前記携帯電話の前記カバーに固定設置された一対の第２の永久磁石と、
を備える
ことを特徴とする請求項１７に記載のスライド型携帯電話用のスライダー組立体。
【請求項２１】
前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備える
ことを特徴とする請求項２０に記載のスライド型携帯電話用のスライダー組立体。
【請求項２２】
前記固定プレートの前記ガイド部は、前記固定プレートの両側に対向して２段に折り曲げられて平行に形成された一対の固定溝と、前記スライドプレートの両端が挿入され、スライドすることをガイドするためのガイド溝とが形成され、前記それぞれの固定溝に挿設された一対のガイドブッシュと、を備え、
前記スライドプレートは、両側が折り曲げられ、一対の羽根部が形成されており、前記羽根部の各々は、対応する前記ガイドブッシュの前記ガイド溝に挿入され、前記ガイド溝に沿って直線運動可能に設けられた
ことを特徴とする請求項１８または１９に記載のスライド型携帯電話用のスライダー組立体。
【請求項２３】
前記ガイドブッシュよりも柔らかい材質であり、前記それぞれのガイドブッシュの長手方向の両端に、それぞれ前記固定プレートの長手方向の端部よりもさらに突出して設置され、前記携帯電話の前記カバーに固定された前記スライドプレートとの衝突により発生する衝撃を緩和させるためのダンパーをさらに備え、
前記ガイド部のそれぞれの前記固定溝の折り曲げられた側面には、複数の貫通孔が形成され、前記それぞれのガイドブッシュとダンパの前記ガイド部の前記固定溝に向かう面には、前記貫通孔に挿入され固定された突起が形成された
ことを特徴とする請求項２２に記載のスライド型携帯電話用のスライダー組立体。
【請求項２４】
前記ガイドブッシュは、ポリアセタールからなり、前記ダンパーは、ウレタンゴムからなる
ことを特徴とする請求項２３に記載のスライド型携帯電話用のスライダー組立体。
【請求項２５】
表面に複数のキーが設けられた本体と、前記本体の前記表面上にスライド可能に設置され、前面に液晶デイスプレーが設けられたカバーと、前記本体と前記カバーとの間に設けられた請求項１乃至２４のいずれか一つに記載のスライダー組立体と、を備え、
前記スライダー組立体の前記固定プレートは、前記本体に固定設置され、前記スライダー組立体の前記スライドプレートは、前記カバーに固定設置される
ことを特徴とするスライド型携帯電話。
【発明の詳細な説明】
【技術分野】
【０００１】
本発明は、スライド型携帯電話用のスライダー組立体及びスライド型携帯電話に関する。
【背景技術】
【０００２】
図２５に示すように、スライド型携帯電話は、複数の数字ボタン３が設けられた本体１と、前記本体１の数字ボタン３が設けられた面の上部に、スライド可能に設けられたカバー２とで構成される。カバー２の前面には、液晶デイスプレー４が設けられている。このようなスライド型携帯電話は、前記本体１と前記カバー２との間に、図２５または図２６に示すようなスライダー組立体１００が設けられ、カバー２が本体１に対してスライド可能になっている。
【０００３】
図２５に示したスライダー組立体１００は、本体１に固定される固定プレート１１０と、カバーの本体に向かう面に固定されるスライドプレート１７０と、一端が前記固定プレート１１０に回動可能に固定され、他端が前記スライドプレート１２０に回動可能に固定され、一定のスライド位置を基準として、カバー２の開放方向または閉鎖方向に弾性力を付与するためのアップ／ダウン維持手段１４０と、を備える。前記アップ／ダウン維持手段は、内部に圧縮スプリングが挿入されたシリンダー１４１と、前記シリンダー１４１に挿入され、前記スプリングを加圧しながら移動可能に拘束されて設けられたロード１４２とで構成される。図示のように、前記シリンダー１４１の一端は、前記固定プレート１１０に回動可能に固定され、前記ロード１４２の一端は、前記スライドプレート１２０に回動可能に固定されている。
【０００４】
図２６は、他の形態の従来のスライダー組立体１００を図示している。図２６に示したスライダー組立体１００は、本体１に固定される固定プレート１１０と、カバーの本体に向かう面に固定するスライドプレート１２０と、一端が前記固定プレート１１０に回動可能に固定され、他端が前記スライドプレートに回動可能に固定された一対のトーションスプリング１３０とで構成される。図２６に示した実施例では、前記一対のトーションスプリング１３０がアップ／ダウン維持手段に該当する。
【先行技術文献】
【特許文献】
【０００５】
【特許文献１】大韓民国登録実用新案第２０−０３０８１６５号公報
【発明の概要】
【発明が解決しようとする課題】
【０００６】
このような従来のスライダー組立体は、スライドプレート１２０のスライド長さを制限するための機能を、スライダー組立体自体に有していない。したがって、スライドプレート１２０の上下スライドストロークを調節するためには、携帯電話の本体やカバーにスライドプレートの移動を制限するためのストッパー(図示せず)を設けなければならない。また、携帯電話のカバーをスライドさせるとき、前記ストッパーと衝突するスライドプレートの両端部には、図２５に示すように、衝撃を緩和させるための別途のダンパー１５０を設けてもよい。したがって、製造工程が複雑となり、製造コストが増えることになる。一方、図２５に示したスライダー組立体は、図２６に示したトーションスプリングを用いたスライダー組立体よりも耐久性はあるが、シリンダー１４１にスプリングとロード１４２を挿入してそれぞれ組み立て、両端を固定プレートとスライドプレートにヒンジ結合しなければならないので、製造工程が複雑であり、高価である。
【０００７】
図２６に示したスライダー組立体は、アップ／ダウン維持手段としてトーションスプリング１３０を用いて、製造工程が簡単であり、安価に製造することができる。しかしながら、トーションスプリングは、弾性を一定にして製造することが困難であるため、製造された携帯電話毎にカバーをスライドさせるための加圧力を一定にすることができなかった。したがって、携帯電話のカバーをスライドさせるための加圧力が均一な携帯電話を製造することができないという問題点があった。また、トーションスプリング１３０を繰り返して長時間用いる場合、トーションスプリング１３０の直線部と曲線部の連結部位で、過度の変形が生じ、疲労により壊われ、耐久性がよくないという問題点があった。
【０００８】
本発明は、上記問題点に鑑みなされたものであり、スライダー組立体のアップ／ダウン維持手段により、スライドプレートのスライド長さを制限することにより、携帯電話の本体やカバーに別途のストッパーを設置しなくてもよい、スライダー組立体を提供することを目的とする。
【０００９】
また、本発明は、スライドプレートのアップ／ダウン状態を維持するための弾性手段として、トーションスプリングの代わりに引張スプリングを用いて、耐久性が増大するスライダー組立体を提供すること目的とする。
【００１０】
また、スライドプレートのガイド溝と固定プレートのガイド部が直接接触しないように、前記スライドプレートのガイド溝に摩擦係数の少ないガイドブッシュを設け、耐久性を増大し、スライド時の騒音を減少させることができるスライダー組立体を提供することを目的とする。
【００１１】
また、本発明は、スライドプレートのアップ／ダウン維持手段が作動するとき、フレキシブルＰＣＢと干渉しないように変形されたスプリング係止部を有するスライダー組立体を提供することを目的とする。
【００１２】
また、製造コストを低減するために、別途の組立のための機械加工が必要ないように、プレス加工により製造された固定プレートとスライドプレートを有するスライダー組立体を提供することを目的とする。
【００１３】
また、本発明は、スプリングの寿命を延ばすように、スライドプレートが上下にスライドするとき、スプリングの変形量が最小となるように配置されたスライダー組立体を提供することを目的とする。
【００１４】
また、本発明は、それぞれのプレートの材質がステンレス鋼からなり、衝撃により容易に損傷しないスライダー組立体を提供することを目的とする。
【００１５】
また、本発明は、固定プレートのガイド部とスライドプレートの羽根部が直接接触しないように、前記固定プレートのガイド部に摩擦係数の少ないガイドブッシュを設け、耐久性を増大させ、スライド時に騒音を減少させることができるスライダー組立体を提供すること目的とする。
【００１６】
また、固定プレートの固定溝に設けられたガイドブッシュの両端に、衝撃を吸収可能な柔らかい材質の緩衝部材を設置し、携帯電話のカバーの開閉時や、携帯電話を落としたときの衝撃によりガイドブッシュが破損することを防ぐことができるスライダー組立体を提供することを目的とする。
【００１７】
また、緩衝部材が固定プレートの両端により突出して設置されるので、スライドプレートが設けられた携帯電話のカバーがスライドされても、固定プレートと接触するものではなく、緩衝部材と接するので、騒音が発生しないスライダー組立体を提供することを目的とする。
【００１８】
また、長時間使用してスプリングの弾性復元力が弱くなっても、固定プレートとスライドプレートの両端部の所定の位置に反発力または引力が作用するように、複数の永久磁石を設置して、遊動することなく、アップ／ダウンした状態を維持することのできるスライダー組立体を提供することを目的とする。
【００１９】
また、デッドゾーン区間において、瞬間的な中止無しに作動可能に、固定プレートの永久磁石と反発力または引力が作用するように、スライドプレートの一端に永久磁石をさらに設け、デッドゾーン区間において、円滑にスライドすることのできるスライダー組立体を提供することを他の目的とする。
【００２０】
また、本発明は、上述したスライダー組立体を有するスライド型携帯電話を提供することをさらに他の目的とする。
【課題を解決するための手段】
【００２１】
上記の目的を達成するため、本発明によるスライド型携帯電話用のスライダー組立体は、スライドプレートの直線運動をガイドするためのガイド部を有し、スライド型携帯電話の本体の一面に固定される固定プレートと、前記固定プレートの前記ガイド部に直線的にガイドされ、前記携帯電話のカバーの前記一面に対向する面に固定されるスライドプレートと、一端が前記固定プレートに回動可能に支持され、他端が前記スライドプレートに回動可能に支持され、前記スライドプレートの一定のスライド位置から前記スライドプレートを押すための加圧力の方向が切り替えられるようにするためのアップ／ダウン維持手段と、を備えるスライド型携帯電話用のスライダー組立体において、前記固定プレートのガイド部は、前記固定プレートの両側に対向して２段に折り曲げられて平行に形成された一対の固定溝と、前記スライドプレートの両端が挿入され、スライドされることをガイドするためのガイド溝が形成され、前記それぞれの固定溝に挿設された一対のガイドブッシュと、を備え、前記スライドプレートは、両側が折り曲げられ一対の羽根部が形成されており、前記羽根部の各々は、対応する前記ガイドブッシュの前記ガイド溝に挿入され、前記ガイド溝に沿って直線運動可能に設けられたことを特徴とする。
【００２２】
また、本発明に係るスライド型携帯電話用のスライダー組立体は、前記ガイドブッシュよりも柔らかい材質であり、前記それぞれのガイドブッシュの長手方向の両端に、それぞれ前記固定プレートの長手方向の端部よりもさらに突出して設置され、前記携帯電話の前記カバーに固定された前記スライドプレートとの衝突により発生する衝撃を緩和させるためのダンパーをさらに備えることを特徴としている。
【００２３】
また、本発明に係るスライド型携帯電話用のスライダー組立体において、前記ガイド部のそれぞれの前記固定溝の折り曲げられた側面には、複数の貫通孔が形成されており、前記それぞれのガイドブッシュとダンパーの前記ガイド部の前記固定溝に向かう面には、前記貫通孔に挿入され固定された突起が形成されたことを特徴とする。
【００２４】
また、本発明に係るスライド型携帯電話用のスライダー組立体において、前記ガイドブッシュは、ポリアセタールからなり、前記ダンパーは、ウレタンゴムからなることを特徴とする。
【００２５】
また、本発明に係るスライド型携帯電話用のスライダー組立体において、前記スライドプレートに向かって前記固定プレートの両端部にそれぞれ設けられた一対の第１の永久磁石と、前記固定プレートの両端部に設けられた前記それぞれの第１の永久磁石と反発力または引力が作用して、前記スライドプレートがアップ／ダウンされた位置で前記スライドプレートを外側に加圧できる位置において、前記スライドプレートに固定設置された一対の第２の永久磁石と、をさらに備えることを特徴とする。
【００２６】
また、本発明に係るスライド型携帯電話用のスライダー組立体において、前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備えることを特徴とする。
【００２７】
また、本発明に係るスライド型携帯電話用のスライダー組立体において、前記アップ／ダウン維持手段は、一端が前記固定プレートに回動可能に固定され、他端が前記スライドプレートに回動可能に固定されたスプリングであり、または、一端が前記固定プレートにスライド可能に固定された第１のリンクスライダーと、前記第１のリンクスライダーの長手方向にスライド可能に拘束され、一端が前記スライドプレートに固定された第２のリンクスライダーと、両端がそれぞれ前記第１のリンクスライダー及び前記第２のリンクスライダーの他端部に固定された引張スプリングと、前記第１のリンクスライダーと第２のリンクスライダーのスライドをガイドしながら、前記スライドプレートのスライド長さを制限するための拘束手段と、を備えることを特徴とする。
【００２８】
また、本発明に係るスライド型携帯電話用のスライダー組立体は、前記スライドプレートに向かって固定プレートの両端部にそれぞれ設けられた一対の第１の永久磁石と、前記固定プレートの両端部に設けられたそれぞれの第１の永久磁石と引力が作用して、スライドプレートがアップ／ダウンされた位置を維持するように前記携帯電話の前記カバーに固定設置された一対の第２の永久磁石とを、備えることを特徴とする。
【００２９】
また、本発明に係るスライド型携帯電話用のスライダー組立体は、前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備えることを特徴とする。
【００３０】
また、本発明に係るスライド型携帯電話用のスライダー組立体において、前記アップ／ダウン維持手段は、一端が前記固定プレートに回動可能に固定され、他端が前記スライドプレートに回動可能に固定されたスプリングであり、または、一端が前記固定プレートにスライド可能に固定された第１のリンクスライダーと、前記第１のリンクスライダーの長手方向にスライド可能に拘束され、一端が前記スライドプレートに固定された第２のリンクスライダーと、両端がそれぞれ前記第１のリンクスライダー及び前記第２のリンクスライダーの他端部に固定された引張スプリングと、前記第１のリンクスライダーと第２のリンクスライダーのスライドをガイドしながら、前記スライドプレートのスライド長さを制限するための拘束手段と、を備えることを特徴とする。
【００３１】
一方、本発明に係るスライド型携帯電話用のスライダー組立体は、スライドプレートの直線運動をガイドするためのガイド部を有し、スライド型携帯電話の本体の一面に固定される固定プレートと、前記固定プレートの前記ガイド部に直線的にガイドされ、前記携帯電話のカバーの前記一面に対向する面に固定されるスライドプレートと、一端が前記固定プレートに回動可能に支持され、他端が前記スライドプレートに回動可能に支持され、前記スライドプレートの一定のスライドの位置から前記スライドプレートを押すための加圧力の方向が切り替えられるようにするためのアップ／ダウン維持手段と、を備えるスライド型携帯電話用のスライダー組立体において、前記アップ／ダウン維持手段は、一端が前記固定プレートにスライド可能に固定された第１のリンクスライダーと、前記第１のリンクスライダーの長手方向にスライド可能に拘束され、一端が前記スライドプレートに固定された第２のリンクスライダーと、両端がそれぞれ前記第１のリンクスライダー及び前記第２のリンクスライダーの他端部に固定された引張スプリングと、前記第１のリンクスライダーと第２のリンクスライダーのスライドをガイドしながら、前記スライドプレートのスライド長さを制限するための拘束手段と、を備えることを特徴とする。
【００３２】
また、本発明のスライド型携帯電話用のスライダー組立体において、前記拘束手段は、前記第１または第２のリンクスライダーのいずれか一つのリンクスライダーに長さ方向に形成された一定の長さのガイド溝と、残りのリンクスライダーに固定され、前記ガイド溝に収容されて前記残りのリンクスライダーのスライドをガイドするためのガイド突起と、を備えることを特徴とする。
【００３３】
また、本発明のスライド型携帯電話用のスライダー組立体において、前記第１のリンクスライダー及び第２のリンクスライダーは、同一の板状であり、前記ガイド溝は、それぞれのリンクスライダーに貫通形成され、前記ガイド突起は、それぞれのリンクスライダーに固定されたピンであり、前記ピンは、頭部の直径が前記ガイド溝の幅よりも大きいものであり、または、前記第１のリンクスライダー及び第２のリンクスライダーは、同一の板状であり、前記ガイド溝は、それぞれのリンクスライダーに貫通形成され、前記ガイド突起は、それぞれのリンクスライダーの一部を部分的に切開して該部分的に切開された部分を対応するガイド溝側に折曲形成された突起であり、前記ピンは、頭部の直径が前記ガイド溝の幅よりも大きいことを特徴とする。
【００３４】
また、本発明のスライド型携帯電話用のスライダー組立体において、前記それぞれのリンクスライダーの他端部には、長手方向に対して垂直な方向に両側から突出したスプリング係止部が形成されており、一対のスプリングが、前記第１のリンクスライダー及び第２のリンクスライダーの前記それぞれの対応するスプリング係止部間に設けられたことを特徴とする。
【００３５】
また、本発明のスライド型携帯電話用のスライダ組立体において、前記スライドプレートに向かって前記固定プレートの両端部にそれぞれ設けられた一対の第１の永久磁石と、前記固定プレートの両端部に設けられた前記それぞれの第１の永久磁石と反発力または引力が作用して、前記スライドプレートがアップ／ダウンされた位置で前記スライドプレートを外側に加圧できる位置において、前記スライドプレートに固定設置された一対の第２の永久磁石と、をさらに備えることを特徴とする。
【００３６】
また、本発明のスライド型携帯電話用のスライダー組立体において、前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備えることを特徴とする。
【００３７】
また、本発明のスライド型携帯電話用のスライダー組立体において、前記スライドプレートに向かって前記固定プレートの両端部にそれぞれ設けられた一対の第１の永久磁石と、前記固定プレートの両端部に設けられたそれぞれの第１の永久磁石と引力が作用して、前記スライドプレートがアップ／ダウンされた位置を維持するように、前記携帯電話の前記カバーに固定設置された一対の第２の永久磁石と、を備えることを特徴とする。
【００３８】
また、本発明のスライド型携帯電話用のスライダー組立体において、前記スライドプレートの移動中に、前記アップ／ダウン維持手段の加圧力の方向が変わる位置の付近において、前記固定プレートの前記一対の第１の永久磁石のいずれか一つと反発力または引力が作用するように、前記スライドプレートに固定設置された第３の永久磁石を備えることを特徴とする。
【００３９】
また、本発明のスライド型携帯電話用のスライダー組立体において、前記固定プレートの前記ガイド部は、前記固定プレートの両側に対向して２段に折り曲げられて平行に形成された一対の固定溝と、前記スライドプレートの両端が挿入され、スライドすることをガイドするためのガイド溝とが形成され、前記それぞれの固定溝に挿設された一対のガイドブッシュと、を備え、前記スライドプレートは、両側が折り曲げられ、一対の羽根部が形成されており、前記羽根部の各々は、対応する前記ガイドブッシュの前記ガイド溝に挿入され、前記ガイド溝に沿って直線運動可能に設けられたことを特徴とする。
【００４０】
また、本発明のスライド型携帯電話用のスライダー組立体において、前記ガイドブッシュよりも柔らかい材質であり、前記それぞれのガイドブッシュの長手方向の両端に、それぞれ前記固定プレートの長手方向の端部よりもさらに突出して設置され、前記携帯電話の前記カバーに固定された前記スライドプレートとの衝突により発生する衝撃を緩和させるためのダンパーをさらに備え、前記ガイド部のそれぞれの前記固定溝の折り曲げられた側面には、複数の貫通孔が形成され、前記それぞれのガイドブッシュとダンパの前記ガイド部の前記固定溝に向かう面には、前記貫通孔に挿入され固定された突起が形成されたことを特徴とする。
【００４１】
また、本発明のスライド型携帯電話用のスライダー組立体において、前記ガイドブッシュは、ポリアセタールからなり、前記ダンパーは、ウレタンゴムからなることを特徴とする。
【００４２】
一方、本発明のスライド型携帯電話は、表面に複数のキーが設けられた本体と、前記本体の前記表面上にスライド可能に設置され、前面に液晶デイスプレーが設けられたカバーと、前記本体と前記カバーとの間に設けられた請求項１乃至２４のいずれか一つに記載のスライダー組立体と、を備え、前記スライダー組立体の前記固定プレートは、前記本体に固定設置され、前記スライダー組立体の前記スライドプレートは、前記カバーに固定設置されることを特徴とする。
【図面の簡単な説明】
【００４３】
【図１】図１は、本発明に係るスライド型携帯電話用のスライダー組立体を有する携帯電話を示す斜視図である。
【図２】図２は、本発明に係るスライド型携帯電話用のスライダー組立体の第１の実施例を示す平面図である。
【図３】図３は、本発明に係るスライダー組立体のアップ／ダウン維持手段の第１の実施例を示す斜視図である。
【図４】図４は、図３に示したアップ／ダウン維持手段を示す分解斜視図である。
【図５】図５の（ａ）乃至（ｃ）は、図２に示した実施例の作動状態を示す説明図である。
【図６】図６は、本発明に係るスライダー組立体のアップ／ダウン維持手段の第２の実施例を示す斜視図である。
【図７】図７は、本発明に係るスライド型携帯電話用のスライダー組立体の第３の実施例を示す平面図である。
【図８】図８は、図７のＡ−Ａ線による断面図である。
【図９】図９は、本発明に係るスライダー組立体のアップ／ダウン維持手段の第４の実施例を示す斜視図である。
【図１０】図１０は、図９に示したアップ／ダウン維持手段を示す分解斜視図である。
【図１１】図１１の（ａ）乃至（ｃ）は、図７に示した第３の実施例の作動状態を示す説明図である。
【図１２】図１２は、本発明に係るスライダー組立体のアップ／ダウン維持手段の第５の実施例を示す斜視図である。
【図１３】図１３は、本発明に係るスライダー組立体の第３乃至第５実施例のアップ／ダウン維持手段のヒンジ部の結合状態を示す平面図である。
【図１４】図１４は、本発明に係るスライド型携帯電話用のスライダー組立体の第６の実施例を示す分解斜視図である。
【図１５】図１５は、図１４の第６の実施例を示す組立状態図である。
【図１６】図１６は、本発明に係るスライド型携帯電話用のスライダー組立体の第７の実施例を示す平面図である。
【図１７】図１７は、図１６の実施例の固定プレートを示す分解斜視図である。
【図１８】図１８は、図１６の実施例のスライドプレートを示す斜視図である。
【図１９】図１９は、本発明に係るスライド型携帯電話用のスライダー組立体の第８の実施例を示す分解斜視図である。
【図２０】図２０は、本発明に係るスライド型携帯電話用のスライダー組立体の第９の実施例の固定プレートを示す分解斜視図である。
【図２１】図２１は、発明に係るスライド型携帯電話用のスライダー組立体の第９の実施例のスライドプレートを示す斜視図である。
【図２２】図２２は、第９の実施例のアップ／ダウン維持手段を示す断面図であり、（ａ）は、スライドプレートを一方向に押す前の状態を示す断面図であり、（ｂ）は、スライドプレートの第３の永久磁石と固定プレートの第１の永久磁石との反発力が発生する部分を示す断面図であり、（ｃ）は、スライドプレートが一方向に押された後の状態を示す断面図である。
【図２３】図２３は、本発明に係るスライド型携帯電話用のスライダー組立体の第１０の実施例を示す分解斜視図である。
【図２４】図２４は、本発明の第９及び第１０の実施例に係るスライド型のスライダー組立体を有するスライド型携帯電話を示す底面図である。
【図２５】図２５は、従来のスライダー組立体を示す概略図である。
【図２６】図２６は、従来の他のスライダー組立体を示す概略図である。
【発明を実施するための形態】
【００４４】
以下、本発明の好ましい実施例を、添付図面に基づいて詳しく説明する。
【００４５】
図１は、本発明に係るスライド型携帯電話用のスライダー組立体を有する携帯電話を示す斜視図であり、図２は、本発明に係るスライド型携帯電話用のスライダー組立体の第１実施例を示す平面図であり、図３は、本発明に係るスライダー組立体のアップ／ダウン維持手段の第１実施例を示す斜視図であり、図４は、図３に示したアップ／ダウン維持手段を示す分解斜視図であり、図５の（ａ）乃至（ｃ）は、図２に示した実施例の作動状態を示す説明図である。
【００４６】
図１に示したスライド型携帯電話は、複数の数字ボタン３が設けられた本体１と、本体１の数字ボタン３が設けられた面の上部にスライド可能に設けられたカバー２とで構成される。カバー２の前面には、液晶デイスプレー４が設けられている。このようなスライド型携帯電話は、本体１とカバー２との間に、スライダー組立体１００が設けられるものであり、固定プレート１０は、本体１に設けられ、スライドプレート２０は、カバー２にスライド可能に設けられる。
【００４７】
本実施例のスライド型携帯電話のスライダー組立体は、携帯電話の本体に固定するための固定プレート１０と、カバーに固定するためのスライドプレート２０と、一端が前記固定プレート１０に回動可能に支持され、他端が前記スライドプレート２０に回動可能に支持され、前記スライドプレート２０の一定のスライドの位置を基準として、スライドプレート２０への加圧力の方向が切り替えられるように設けられたアップ／ダウン維持手段３０と、を備える。前記固定プレート１０とスライドプレート２０のスライドする両側面には、図２６に示したように、スライドをガイドするためのガイド溝１７１及びガイドバー１１２が形成されている。
【００４８】
図３及び図４を参照すると、前記アップ／ダウン維持手段３０は、同一の形状であり、互いにスライド可能に拘束された一対のリンクスライダー３１と、前記リンクスライダーの端部に固定された一対の引張スプリング３２と、前記一対のリンクスライダーを拘束しながらガイドするように、それぞれのリンクスライダーの案内溝３１２に収容されるように、それぞれのリンクスライダー３１に固定されたガイド突起３１３と、を有している。本実施例において、前記ガイド突起３１３は、頭部３１３ａと首部３１３ｂを有するガイドピン３１３を用いる。
【００４９】
前記それぞれのリンクスライダー３１は、前記固定プレート１０またはスライドプレート２０にそれぞれ回動可能にピンでヒンジ固定するための貫通孔が形成されたヒンジ部３１１と、前記ヒンジ部３１１から一定の間隔をおいて長さ方向に一定の長さだけ貫通形成されたガイド溝３１２と、前記ヒンジ部３１１の対向端部に長さ方向の両側に突出して形成された一対のスプリング係止部３１４と、を有している。前記ヒンジ部３１１は、固定プレート１０またはスライドプレート２０への固定を容易にし、両側に設けられる引張スプリング３２を中央で支持可能に一定の高さで２段に折り曲げられている。
【００５０】
本実施例において、前記ガイド溝３１２は、ガイドピン差込部３１２ａと、スライドガイド部３１２ｂとで構成されている。前記ガイドピン差込部３１２ａは、前記ガイドピン３１３を設け、または、組み立てられたアップ／ダウン維持手段の分離を容易に行うように、ガイド溝のヒンジ部３１１側に、前記ガイドピン３１３の頭部３１３ａの直径よりも大きい幅を有するように形成する。
【００５１】
また、前記スライドガイド部３１２ｂは、適当な長さに形成し、携帯電話のカバーのスライド長さを制限するようにする。すなわち、前記ガイドピン３１３が、前記スライドガイド部３１２ｂのヒンジ部３１１の反対側の端部において、移動が制限され、スライドプレート２０のスライド長さを制限するようになる。したがって、携帯電話の本体に、スライドプレート２０のスライドを制限するためのストッパーを別途に設けなくてもよい。また、ガイドピン３１３の固定位置を変更し、スライドプレート２０のスライド長さを調節することもできる。
【００５２】
このように対向配置された一対のリンクスライダー３１のガイドピン３１３は、対向するリンクスライダー３１のガイド溝３１２に収容され、それぞれのリンクスライダー３１を長さ方向にのみスライドするようにガイドしながら拘束する。また、ガイドピン３１３は、頭部３１３ａとリンクスライダー３１にコーキングされ固定される首部３１３ｂとで構成され、前記頭部３１３ａの直径は、前記ガイド溝３１２のスライドガイド部３１２ｂの幅よりも大きくなっているので、組み立てられたアップ／ダウン維持手段３０が分離されることを防ぐ。
【００５３】
前記一対のスプリング係止部３１４は、引張スプリング３２の端部に形成されたフックが係止されて分離されないようにするために、ヒンジ部３１１の反対側に向かう面に係止溝３１４ａを形成している。また、図６に示した実施例のように、貫通孔３１４ｂを形成し、引張スプリング３２が分離されないようにすることもできる。
【００５４】
本発明のアップ／ダウン維持手段３０は、引張スプリングを用いて、トーションスプリングを用いた場合よりも耐久性が増大され、スライドさせるための加圧力が均一な携帯電話を製造できるようになる。また、一対の引張スプリング３２が対称をなしてリンクスライダ３１のスプリング係止部３１４に固定されており、リンクスライダー３１のスライドを安定させる。前記引張スプリング３２は、スライドするように拘束したリンクスライダー３１の長さが伸びる方向に、常時弾性力を加えるように、それぞれのリンクスライダー３１の端部に固定されているため、固定プレート１０に対して、スライドプレート２０が常時上昇または下降(アップ／ダウン)した状態を維持するようにする。
【００５５】
以下では、図５の（ａ）乃至（ｃ）を参照して、本実施例のスライダー組立体の作動について説明する。
【００５６】
図５の（ａ）に示した状態は、引張スプリングの引張力により、それぞれの拘束されたリンクスライダー３１の長さが最大となるようにスライドされた状態である。すなわち、ガイド溝のヒンジ部の反対側の端部にガイドピンが接触され、スライドが制限された状態である。アップ／ダウン維持手段３０の第１のリンクスライダーのヒンジ部３１１は、固定プレート１０の中央部に回動可能にピンで固定されており、第２のリンクスライダーのヒンジ部３１１は、スライドプレート２０の中央部に回動可能に固定されている。ユーザがスライドプレート２０を図面において左側に押すと、図５の（ｂ）に示すように、スライドプレート２０がスライドし、アップ／ダウン維持手段の引張スプリング３２が伸びながらヒンジ固定されたそれぞれのリンクスライダー３１が回動する。同時に拘束され、スライドするように結合された一対のリンクスライダー３１が、長さが縮む方向へスライドしながら、スライドプレート２０のスライドにより、リンクスライダーの長さの変化を吸収する。図５の（ｂ）に示した状態で、引張スプリング３２の引張力は最大となり、一対のリンクスライダー３１の延長された長さは最小となる。図５の（ｂ）に示した状態まで引張スプリング３２は長さが長くなるので、スライドプレート２０を動かすために、ユーザは続けて力を加えなければならない。しかしながら、図５の（ｂ）の状態からスライドプレート２０が少しだけ左側に移動すると、前記引張スプリング３２に蓄積された弾性エネルギーにより、スライドプレート２０は、左側に自ずと移動するようになる。すなわち、一対の引張スプリング３２が収縮しながら、それぞれの両端に固定されたリンクスライダー３１をそれぞれ引っ張るようになり、したがってスライドプレート２０に固定されたリンクスライダー３１が、スライドプレート２０を加圧するようになり、図５の（ｃ）に示した状態へ移動させる。図５の（ｃ）の状態から図５の（ａ）の状態へのスライドは、前述した過程と同一の過程を繰り返すようになる。この際、前記ガイドピン３１３の頭部３１３ｂが、前記スライドガイド部３１２ｂの端部に接触して、固定プレート１０の移動を制限するようになるため、本体にスライドプレート２０のスライドを制限するためのストッパーを別途に設けなくてもよい。
【００５７】
図６は、本発明に係るスライダー組立体のアップ／ダウン維持手段の第２実施例を示す斜視図である。図６に示した実施例が、図４に示した実施例と異なる点は、ガイドピンは３１３を、リンクスライダー３１のヒンジ部３１１側のガイド溝に対応する部分を適当に切開し、ガイド溝３１２側へ折り曲げて形成した点である。また、前記折り曲げて形成されたガイド突起３１３の頭部の幅は、前記ガイド溝の幅よりも大きくし、組み立てられた一対のリンクスライダーが分離されないようになっている。
【００５８】
図７は、本発明に係るスライド型携帯電話用のスライダー組立体の第３実施例を示す平面図であり、図８は、図７のＡ−Ａ線による断面図であり、図９は、本発明に係るスライダー組立体のアップ／ダウン維持手段の第４実施例を示す斜視図であり、図１０は、図９に示したアップ／ダウン維持手段を示す分解斜視図であり、図１１の（ａ）乃至（ｃ）は、図７に示した第３の実施例の作動状態を示す説明図であり、図１２は、本発明に係るスライダー組立体のアップ／ダウン維持手段の第５の実施例を示す斜視図であり、図１３は、本発明に係るスライダー組立体の第３乃至第５の実施例のアップ／ダウン維持手段のヒンジ部の結合状態を示す平面図である。
【００５９】
第３の実施例のスライド型携帯電話のスライダー組立体は、携帯電話の本体に固定するための固定プレート１０と、カバーに固定されるためのスライドプレート２０と、一端が前記固定プレート１０に回動可能に支持され、他端が前記スライドプレート２０に回動可能に支持され、前記スライドプレート２０の一定のスライドの位置を基準として、スライドプレート２０への加圧力の方向が切り替えられるように設けられたアップ／ダウン維持手段３０と、を備える。前記固定プレート１０とスライドプレート２０のスライドする両側面は、摩擦により磨耗することを防ぐために、ガイドブッシュ１２２が、前記スライドプレート２０のガイド溝１２１に挿設される。
【００６０】
前記ガイドブッシュ１２２は、前記固定プレート１０のガイド部１１１が挿入される溝１２２ａと、一側面に所定の間隔をおいて突出した固定突起１２２ｂと、前記スライドプレート２０のガイド溝１２１に挟持される付着面１２２ｃとで形成される。また、繰り返してスライド作動するスライドプレート２０のガイド溝１２１が、作動摩擦により磨耗することを防ぐものであり、頻繁に交替することなく、長時間用いることができ、材質は、耐摩耗性であり、動摩擦係数が小さいものであれば可能であるが、一般に使用されるポリアセタール材質（ｐｏｌｙｏｘｙｍｅｔｈｙｌｅｎｅ：ＰＯＭ）であれば好ましい。
【００６１】
図９及び図１０を参照すると、前記アップ／ダウン維持手段３０は、同一の形状であり、互いにスライド可能に拘束された一対のリンクスライダー３１と、前記リンクスライダー３１の端部に固定された一対の引張スプリング３２と、前記一対のリンクスライダー３１を拘束しながらガイドするように、それぞれのリンクスライダー３１のガイド溝３１２に収容されるように、それぞれのリンクスライダー３１に固定されたガイド突起３１３と、を有している。本実施例において、前記ガイド突起３１３は、頭部３１３ａと首部３１３ｂを有するガイドピンを用いる。
【００６２】
前記それぞれのリンクスライダー３１は、前記固定プレート１０またはスライドプレート２０にそれぞれ回動可能にピンＰでヒンジ固定するための貫通孔３１１ａが形成されたヒンジ部３１１と、前記ヒンジ部３１１から一定の間隔をおいて長さ方向に一定の長さだけ貫通形成されたガイド溝３１２と、前記ヒンジ部３１１の対向端部に長さ方向の両側に突出して形成された一対のスプリング係止部３１４と、を有している。前記ヒンジ部３１１は、固定プレート１０またはスライドプレート２０への固定を容易にし、両側に設けられる引張スプリング３２を中央で支持可能に一定の高さで２段に折り曲げられている。
【００６３】
この第４の実施例において、前記ガイド溝３１２は、ガイドピン差込部３１２ａとスライドガイド部３１２ｂとで構成される。前記ガイドピン差込部３１２ａは、前記ガイドピン３１３を設け、または、組み立てられたアップ／ダウン維持手段の分離を容易に行うように、ガイド溝３１２のヒンジ部３１１側に、前記ガイドピン３１３の頭部３１３ａの直径よりも大きい幅を有するように形成する。
【００６４】
このように対向配置された一対のリンクスライダー３１のガイドピン３１３は、対向するリンクスライダー３１のガイド溝３１２に収容され、それぞれのリンクスライダー３１のスライドを長さ方向にのみスライドされるようにガイドしながら拘束する。また、ガイドピン３１３は、頭部３１３ａと、リンクスライダー３１にコーキングされ固定される首部３１３ｂとで構成され、前記頭部３１３ａの直径は、前記ガイド溝３１２のスライドガイド部３１２ｂの幅よりも大きくなっており、組み立てられたアップ／ダウン維持手段３０が分離されることを防ぐ。
【００６５】
前記一対のスプリング係止部３１４は、引張スプリング３２の端部に形成されたフックを係止可能に、所定の角度で折り曲げられた係止溝３１４ａが形成され、前記フックが離脱されることを防ぐために、前記係止溝３１４ａの終端に固定突起３１４ｂが形成されている。また、図１２に示した実施例のように、貫通孔３１４ｃを形成し、引張スプリング３２が離脱しないようにすることもできる。
【００６６】
前記係止溝３１４ａが、所定の角度で折り曲げられたことは、前記固定プレート１０の一面に設けられるフレキシブルＰＣＢが、干渉されずに作動可能にして、機器の誤作動を防ぐためである。
【００６７】
本実施例のアップ／ダウン維持手段３０は、引張スプリングを用いて、トーションスプリングを用いた場合よりも耐久性が増大し、スライドさせるための加圧力が均一な携帯電話を製造することができるようになる。また、一対の引張スプリング３２が、対称してリンクスライダー３１のスプリング係止部３１４に固定されており、リンクスライダー３１のスライドを安定させる。前記引張スプリング３２は、スライドするように拘束されたリンクスライダー３１の長さが伸びる方向に常時弾性力を加えるように、それぞれのリンクスライダー３１の端部に固定されているので、固定プレート１０に対して、スライドプレート２０が常時上昇または下降（アップ／ダウン）した状態を維持するようにする。
【００６８】
以下では、図１１の（ａ）乃至（ｃ）を参照して、図７に示した実施例の作動状態について説明する。
【００６９】
図１１の（ａ）に示した状態は、引張スプリングの引張力により、それぞれの拘束されたリンクスライダー３１の長さが最大となるようにスライドされた状態である。すなわち、ガイド溝のヒンジ部の反対側の端部にガイドピンが接触し、スライドが制限された状態である。アップ／ダウン維持手段３０の第１のリンクスライダーのヒンジ部３１１は、固定プレート１０の中央部に回動可能にピンで固定され、第２のリンクスライダーのヒンジ部３１１は、スライドプレート２０の中央部に回動可能に固定されている。ユーザがスライドプレート２０を図面において左側へ押すと、図１１の（ｂ）に示すように、スライドプレート２０がスライドするようになり、アップ／ダウン維持手段の引張スプリング３２が伸びながら、ヒンジ固定されたそれぞれのリンクスライダー３１が回動する。同時に拘束され、スライドするように結合された一対のリンクスライダー３１が、長さが縮む方向へスライドしながら、スライドプレート２０のスライドによるリンクスライダーの長さの変化を吸収する。図１１の（ｂ）に示した状態において、引張スプリング３２の引張力は最大となり、一対のリンクスライダー３１の延長された長さは最小となる。図１１の（ｂ）に示した状態まで、引張スプリング３２は長さが長くなるため、スライドプレート２０を動かすために、ユーザは続けて力を加えなければならない。しかしながら、図１１の（ｂ）の状態からスライドプレート２０が少しだけ左側に移動すると、前記引張スプリング３２に蓄積された弾性エネルギーにより、スライドプレートは左側へ自ずと移動するようになる。すなわち、一対の引張スプリング３２が収縮しながら、それぞれの両端に固定されたリンクスライダー３１をそれぞれ引っ張るようになり、したがって、スライドプレート２０に固定されたリンクスライダー３１がスライドプレート２０を加圧するようになり、図５の（ｃ）に示した状態へ移動させる。図５の（ｃ）の状態から図５の（ａ）の状態へのスライドは、前述した過程と同一の過程を繰り返すようになる。この際、前記ガイドピン３１３の首部３１３ｂが、前記スライドガイド部３１２ｂの端部に接触し、スライドプレート２０の移動を制限するようになるため、本体にスライドプレート２０のスライドを制限するための別途のストッパーを設けなくてもよい。
【００７０】
図１２は、本発明に係るスライダー組立体のアップ／ダウン維持手段の第５実施例を示す斜視図である。図１２に示した実施例が、図９に示した実施例と異なる点は、ガイドピン３１３を、リンクスライダー３１のヒンジ部３１１側のガイド溝に対応する部分を適当に切開し、ガイド溝３１２側へ折り曲げて形成した点である。また、前記折り曲げて形成されたガイド突起３１３の頭部の幅は、前記ガイド溝の幅よりも大きくし、組み立てられた一対のリンクスライダーが分離されないようになっている。
【００７１】
図１３は、本発明に係るスライダー組立体のアップ／ダウン維持手段のヒンジ部の結合状態を示す平面図である。前記アップ／ダウン維持手段３０のうち、同一の形状であり、互いにスライド可能に拘束された一対のリンクスライダー３１には、前記固定プレート１０またはスライドプレート２０にそれぞれ回動可能にピンＰでヒンジ固定するための貫通孔３１１ａが形成されたヒンジ部３１１が形成される。
【００７２】
この際、前記ピンＰと結合されたヒンジ部３１１は、回動時に摩擦により容易に磨耗されるため、これを防ぐために、耐摩耗性であり、動摩擦係数の小さいポリアセタール材質（ＰＯＭ）で形成されたブッシュ４０を、ヒンジ部３１１とピンＰとの間に挿入する。
【００７３】
前記ブッシュ４０には、中心に貫通された孔４２と、前記ヒンジ部３１１の一側面に接触するように形成された接触面４３と、前記ヒンジ部３１１の貫通孔３１１ａに挿入され固定するための固定突起４１とが形成される。前記固定突起４１は、ブッシュ４０とヒンジ部３１１が固定される形態であり、キー状に挿入固定され得るが、好ましくは、凹凸溝状に結合されることがよく、回動時、ヒンジ部３１１に挿入固定されたブッシュ４０の孔４２とピンＰが接触された状態において作動するため、ヒンジ部３１１とピンＰが磨耗することを防止するようになる。
【００７４】
図１４は、本発明に係るスライド型携帯電話用のスライダー組立体の第６実施例を示す斜視図であり、図１５は、図１４の第６実施例を示す組立状態図である。
【００７５】
この第６実施例のスライダー組立体は、携帯電話の本体１に固定するための固定プレート１０と、カバー２に固定するためのスライドプレート２０と、一端が固定プレート１０に回動可能に支持され、他端が前記スライドプレート２０に回動可能に支持された２つのスプリング５０と、固定プレート１０とスライドプレート２０のスライド部分が磨耗することを防ぐための滑り部材１５、１５’と、をさらに備えている。
【００７６】
前記固定プレート１０の長さ方向の両側部１４、１４’は、プレスにより２回折り曲げられ、平行な一対の固定溝１３、１３’を形成する。また、固定プレート１０には、携帯電話の本体１に固定させるための複数のねじ孔１２が打抜き加工により形成されている。特に、固定プレート１０には、２つの支持突起１１、１１’が、固定溝１３、１３’と平行な一直線上に形成されている。支持突起１１、１１’は、スライドプレート２０に向かう面にプレス加工により突出し、外周面は円形であり、拡張された端部１１ａを有している。
【００７７】
また、それぞれの固定溝１３、１３’の長さに合わせてガイド溝１５ｂ、１５ｂ’が形成された滑り部材１５、１５’が挿設される。
【００７８】
滑り部材１５、１５’は、所定の間隔をおいて突出した一対の突起１５ａ、１５ａ’が、固定プレート１０の折り曲げられた両側部１４、１４’の所定の位置に形成された切欠溝１４ａ、１４ａ’に対応して挟持される。また、繰り返してスライド作動するスライドプレート２０の羽根部２３、２３’が、作動摩擦により磨耗するのを防ぐものであり、頻繁に交替することなく、長時間用いることができ、材質は耐摩耗性であり、動摩擦係数が小さいものであれば可能であるが、一般に用いられるポリアセタール材質（ＰＯＭ）であれば好ましい。
【００７９】
スライドプレート２０は、長さ方向の両側には、固定プレート１０の方向にプレスにより折り曲げられた第１の折曲部２４、２４’と、外側に延びて、もう一回折り曲げられた羽根部２３、２３’とが形成されている。一対の羽根部２３、２３’は、長さ方向に対して上下方向にスライド可能に、固定プレート１０の固定溝１３、１３’にそれぞれ設けられた滑り部材１５、１５’のガイド溝１５ｂ、１５ｂ’にそれぞれ挿入される。また、スライドプレート２０には、スプリング３０の一端が挿入され、回動可能に支持するための２つの貫通孔２１、２１’が形成されている。また、スライドプレート２０をカバーに固定するための複数のねじ孔２２が形成されている。
【００８０】
２つのスプリング３０、３０’は、それぞれ両端が延びた鋼線からなるコイルスプリングである。コイルスプリングの延びた両端の中央部には、数回巻取されたスプリング部３３が形成されている。それぞれのスプリングの一端３２は、前記固定プレート１０の円形の支持突起１１の外周の一部を取り囲んで支持可能に、一部が開放された円形に折り曲げられている。また、他端５１は、スライドプレート２０の貫通孔２１に挿入され、回動可能に支持するように円形に折り曲げられた一端３２の円形の中心軸方向に鋼線が１次に折り曲げられ、１次に折り曲げられた部分の端部が２次に垂直になるように折り曲げられている。
【００８１】
図１５は、第６実施例のスライダー組立体を示す組立状態図である。
【００８２】
図示したように、固定プレート１０の両側の固定溝１３、１３’に設けられた滑り部材１５、１５’のガイド溝１５ｂ、１５ｂ’に、スライドプレート２０の両側の羽根部２３、２３’が挿入され、長さ方向の上下にガイド溝１５ｂ、１５ｂ’に沿って移動可能になっている。また、前記２つのスプリング５０の一端は、固定プレート１０の支持突起１１の外周の一部を取り囲んで回動可能に支持されており、他端５１は、スライドプレート２０の貫通孔２１に挿入されて回動可能に支持されている。したがって、スライドプレート２０が、スプリング５０により、上下に決まった距離のみを移動するように拘束される。
【００８３】
また、スプリング５０が破損した場合、前記固定プレート１０の支持突起１１を取り囲んで支持されたスプリング５０の一端を容易に分離除去することができ、交替作業が容易である。
【００８４】
特に、固定プレート１０の２つの支持突起１１、１１’は、固定溝１３と平行な一直線上に配置され、スライドプレート２０の２つの貫通孔２１、２１’も、固定溝１３に挿入される羽根部２３に平行な一直線上に配置されている。すなわち保持突起１１、１１’が形成された一直線と固定溝１３、１３’が形成された一直線とは、互いに平行であり、距離が可能な限り最大となるように配置される。したがって、スライドプレート２０が上下に移動するとき、それぞれのスプリング５０が変形する量が少なくなり、スプリング５０の寿命を延ばすようになる。また、２つのスプリング５０、５０’の一端と他端が、それぞれ固定溝１３、１３’に対して同一側に回動可能に固定されている。したがって、スライドの際に、スプリングの弾性力が一方向にのみ作用するようになっており、固定プレート１０の固定溝１３とスライドプレート２０の羽根部２３が一方向に密着してスライドされ、カバーの開閉時、カバーが左右に遊動することを防ぐことができる。
【００８５】
また、前記それぞれのスプリング５０は、スライドプレート２０が移動してスライドプレート２０の２つの貫通孔２１の中心と、固定プレート１０の支持突起１１の中心とが一致するまで、スプリング５０の弾性力が、移動を妨げる方向に作用して、一致する位置を経ると、スプリング５０の弾性力が移動を促進する方向に作用するようになる。したがって、ユーザは、カバーをスライドさせて開放しようとするとき、スライドプレート２０の２つの貫通孔２１の中心と固定プレート１０の支持突起１１の中心が一致するまでのみ力を加えれば、それ以後は、スプリング５０の弾性力により自ずとカバーが開放されるようになっている。
【００８６】
図１６は、本発明に係るスライド型携帯電話用のスライダー組立体の第７の実施例を示す平面図であり、図１７は、図１６に示した実施例の固定プレートを示す分解斜視図であり、図１８は、図１６に示した実施例のスライドプレートを示す斜視図であり、図１９は、本発明に係るスライド型携帯電話用のスライダー組立体の第８実施例を示す分解斜視図である。
【００８７】
この第７実施例のスライド型携帯電話用のスライダー組立体１００は、直線運動をガイドするためのガイド部を有し、スライド型携帯電話の本体の一面に固定される固定プレート１０と、固定プレート１０のガイド部にガイドされて直線運動をするように拘束され、携帯電話のカバーの前記一面の対向面に固定されるスライドプレート２０と、一端が固定プレート１０に回動可能に支持され、他端がスライドプレート２０に回動可能に支持され、スライドプレート２０の一定のスライド位置を基準として、スライドプレート２０への加圧力の方向が切り替えられるようにするためのアップ／ダウン維持手段３０と、を備えている。また、固定プレート１０とスライドプレート２０のスライドする両側面は、摩擦により磨耗することを防ぐために、固定プレート１０の固定溝１２、１２’にガイドブッシュ１４、１４’が挿設される。
【００８８】
図１７は、固定プレート１０を示す分解斜視図であり、固定プレート１０の長さ方向の両側部１３、１３’は、プレスにより対向するように２段に折り曲げられた平行な一対の固定溝１２、１２’と、固定溝１２、１２’の折り曲げられた側面には、複数の貫通孔１３ａ、１３ａ’が形成される。また、固定プレート１０には、携帯電話の本体１に固定させるための複数のねじ孔と、アップ／ダウン維持手段３０の一端と結合されるヒンジ孔１１とが形成される。
【００８９】
また、固定溝１２、１２’の長さ方向に挿入されるガイドブッシュ１４、１４’は、スライドプレート２０の羽根部２３、２３’が安着されてスライドするようにガイドする長さ方向に形成されたガイド溝１４ａ、１４ａ’と、固定プレート１０の貫通孔１３ａ、１３ａ’との対応面に形成された複数の突起１４ｂ、１４ｂ’と、を有している。
【００９０】
また、ガイドブッシュ１４、１４’の両端にそれぞれ設置されるダンパー１５、１５’は、固定プレート１０の端部よりもさらに突出して設置され、貫通孔１３ａ、１３ａ’に固定するように形成された突起１５ａ、１５ａ’と、スライドプレート２０の羽根部２３、２３’をガイドするガイド溝１５ｂ、１５ｂ’とが形成される。また、ガイドブッシュ１４、１４’の両端にそれぞれ設けられるとき、ガイドブッシュ１４、１４’のガイド溝１４ａ、１４ａ’と、ダンパー１５、１５’のガイド溝１５ｂ、１５ｂ’とが同一線上に位置するように配置される。
【００９１】
ガイドブッシュ１４、１４’は、繰り返してスライド作動するスライドプレート２０の羽根部２３、２３’と、作動摩擦により磨耗するのを防ぐものであり、頻繁に交替することなく、長時間用いることができる、耐摩耗性であり、動摩擦係数が小さいものであれば可能であるが、一般に用いられるポリアセタール材質（ＰＯＭ）であれば好ましい。また、ダンパー１５、１５’は、スライド作動時に発生する衝撃を吸収し、ガイドブッシュ１４、１４’に衝撃が伝達されて破損することを防ぐものであり、衝撃吸収が良好なウレタンゴムで作製することが好ましい。
【００９２】
図１８は、スライドプレート１０を示す斜視図であり、カバーに固定させるための複数のねじ孔が形成され、アップ／ダウン維持手段３０の他端と結合されるヒンジ孔２１と、長さ方向の両側には、固定プレート１０の方向にプレスにより折り曲げられた折曲部２２、２２’と、外側に伸びてもう一回折り曲げられた羽根部２３、２３’と、を有する。一対の羽根部２３、２３’は、長さ方向に対して上下方向にスライド可能に固定プレート１０の固定溝１２、１２’にそれぞれ設けられたガイドブッシュ１４、１４’及びダンパー１５、１５’にそれぞれ挿入される。
【００９３】
図１９は、アップ／ダウン維持手段を示す分解斜視図であり、同一の形状であり、互いにスライド可能に拘束された一対のリンクスライダー３１と、リンクスライダ３１の端部に固定された一対の引張スプリング３２と、一対のリンクスライダ３１を拘束しながらガイドするように、それぞれのリンクスライダー３１のガイド溝３１２に収容されるよう、それぞれのリンクスライダー３１に固定された頭部３１３ａと首部３１３ｂを有するガイドピン３１３と、を有している。
【００９４】
それぞれのリンクスライダー３１は、固定プレート１０またはスライドプレート２０にそれぞれ回動可能にピンでヒンジ固定するための貫通孔が形成されたヒンジ部３１１と、ヒンジ部３１１から一定の間隔をおいて長さ方向に一定の長さだけ貫通形成されたガイド溝３１２と、ヒンジ部３１１の対向端部に長さ方向の両側に突出して形成された一対のスプリング係止部３１４と、を有している。
【００９５】
ヒンジ部３１１は、固定プレート１０またはスライドプレート２０への固定を容易にし、両側に設けられる引張スプリング３２を中央で支持可能に、一定の高さで２段に折り曲げられている。ガイド溝３１２は、ガイドピン差込部３１２ａと、スライドガイド部３１２ｂとで構成される。ガイドピン差込部３１２ａは、前記ガイドピン３１３を設け、または、組み立てられたアップ／ダウン維持手段の分離を容易に行うように、ガイド溝３１２のヒンジ部３１１側に、前記ガイドピン３１３の頭部３１３ａの直径よりも大きい幅を有するように形成する。
【００９６】
このように対向配置された一対のリンクスライダー３１のガイドピン３１３は、対向するリンクスライダー３１のガイド溝３１２に収容され、それぞれのリンクスライダ３１のスライドを長さ方向にのみスライドするようにガイドしながら拘束する。また、ガイドピン３１３は、頭部３１３ａと、リンクスライダー３１にコーキングされ固定される首部３１３ｂとで構成され、前記頭部３１３ａの直径は、前記ガイド溝３１２のスライドガイド部３１２ｂの幅よりも大きくなっており、組み立てられたアップ／ダウン維持手段３０が分離されることを防ぐ。
【００９７】
一対のスプリング係止部３１４は、引張スプリング３２の端部に形成されたフックを係止可能に、所定の角度で折り曲げられた係止溝３１４ａが形成される。
【００９８】
アップ／ダウン維持手段３０は、引張スプリング３２と対称してリンクスライダー３１のスプリング係止部３１４に固定されており、リンクスライダー３１のスライドを安定させる。引張スプリング３２は、スライドするように拘束されたリンクスライダー３１の長さが伸びる方向に常時弾性力を加えるように、それぞれのリンクスライダー３１の端部に固定されているため、固定プレート１０に対してスライドプレート２０が常時上昇または下降(アップ／ダウン)した状態を維持するようにする。
【００９９】
本実施例に対するアップ／ダウン維持手段３０の作動状態を簡単に説明すると、引張スプリング３２の引張力により、それぞれの拘束されたリンクスライダー３１の長さが最大となるようにスライド拘束される。すなわち、ガイド溝３１２のヒンジ部３１１の反対側の端部にガイドピン３１３が接触し、スライドが制限され、アップ／ダウン維持手段３０の第１のリンクスライダーのヒンジ部３１１は、固定プレート１０の中央部に回動可能にピンにより固定され、第２のリンクスライダーのヒンジ部３１１は、スライドプレート２０の中央部に回動可能に固定される。
【０１００】
ユーザがスライドプレート２０をスライドさせると、アップ／ダウン維持手段３０の引張スプリング３２が伸びながら、ヒンジ固定されたそれぞれのリンクスライダー３１が回動する。同時に拘束され、スライドするように結合された一対のリンクスライダー３１が、長さが縮む方向にスライドしながら、スライドプレート２０のスライドによるリンクスライダーの長さの変化を吸収する。この際、引張スプリング３２の引張力は最大となり、一対のリンクスライダー３１の延びた長さは最小となる。
【０１０１】
上述したように、引張スプリング３２は、長さが長くなるようになり、スライドプレート２０を動かすために、ユーザは続けて力を加えると、引張スプリング３２に蓄積された弾性エネルギーによりスライドプレートは押そうとする方向へ自ずと移動するようになる。すなわち、一対の引張スプリング３２が収縮しながら、それぞれの両端に固定されたリンクスライダー３１を引っ張るようになり、したがって、スライドプレート２０に固定されたリンクスライダー３１がスライドプレート２０を加圧するようになる。
【０１０２】
本発明のアップ／ダウン維持手段３０は、スライドさせるための加圧力が均一な携帯電話を製造できるようになる。
【０１０３】
図１９は、本発明に係るスライド型携帯電話用のスライダー組立体の第８実施例を示す分解斜視図であり、本発明の一実施例とはスライダー組立体のアップ／ダウン維持手段が異なる。
【０１０４】
本実施例のスライダー組立体は、携帯電話の本体に固定するための固定プレート１０’と、カバーに固定するためのスライドプレート２０’と、一端が固定プレート１０’に回動可能に支持され、他端が前記スライドプレート２０’に回動可能に支持されるアップ／ダウン維持手段と、固定プレート１０’とスライドプレート２０’のスライド部分が磨耗することを防ぐためのガイドブッシュ１４、１４’及びダンパー１５、１５’と、をさらに備えている。
【０１０５】
固定プレート１０’には、２つの支持突起１１、１１’が固定溝１２、１２’と平行な一直線上にさらに形成されている。支持突起１１、１１’は、スライドプレート２０’に向かう面にプレス加工により突出しており、外周面は、円形であり、拡張した端部１１ａを有している。
【０１０６】
一方、固定溝１２、１２’の長さ方向に挿入されるガイドブッシュ１４、１４’及びダンパー１５、１５’は、本発明の一実施例と同一に適用される。
【０１０７】
また、スライドプレート２０’は、長さ方向の両側には、固定プレート１０’の方向にプレスにより折り曲げられた折曲部２２、２２’と、外側に伸びてもう一回折り曲げられた羽根部２３、２３’と、を有する。一対の羽根部２３、２３’は、長さ方向に対して上下方向にスライド可能に固定プレート１０’の固定溝１２、１２’にそれぞれ設けられたガイドブッシュ１４、１４’及びダンパー１５、１５’にそれぞれ挿入される。また、スライドプレート２０’には、スプリング５０、５０’の一端が挿入され、回動可能に支持するための２つの貫通孔２１、２１’が形成されている。また、スライドプレート２０’をカバーに固定させるための複数のねじ孔が形成されている。
【０１０８】
アップ／ダウン維持手段である２つのスプリング５０、５０’は、それぞれ両端が伸びた鋼線からなるコイルスプリングである。コイルスプリングの延びた両端の中央部には、鋼線が数回巻取されたスプリング部５３が形成されている。それぞれのスプリングの一端５２は、前記固定プレート１０’の円形の支持突起１１の外周の一部を取り囲んで支持するように、一部が開放された円形に折り曲げられている。また、他端５１は、スライドプレート２０’の貫通孔２１に挿入され、回動可能に支持可能に円形に折り曲げられた一端５２の円形の中心軸方向に鋼線が１次に折り曲げられ、１次に折り曲げられた部分の端部が、２次に垂直になるように折り曲げられている。
【０１０９】
この実施例のアップ／ダウン維持手段５０の作動状態を簡単に説明すると、固定プレート１０’の両側の固定溝１２、１２’に設けられたガイドブッシュ１４、１４’及びダンパー１５、１５’の案内溝１４ａ、１４ａ’、１５ｂ、１５ｂ’にスライドプレート２０’の両側の羽根部２３、２３’が挿入され、長さ方向の上下に案内溝１４ａ、１４ａ’、１５ｂ、１５ｂ’に沿って移動可能になっている。また、２つのスプリング５０の一端５２は、固定プレート１０’の支持突起１１の外周の一部を取り囲んで回動可能に支持されており、他端５１は、スライドプレート２０’の貫通孔２１に挿入され回動可能に支持されている。したがって、スライドプレート２０’がスプリング５０により上下に決まった距離のみを移動するように拘束される。
【０１１０】
特に、固定プレート１０’の２つの支持突起１１、１１’は、固定溝１２と平行な一直線上に配置されており、スライドプレート２０’の２つの貫通孔２１、２１’も、固定溝１２に挿入される羽根部２３に平行な一直線上に配置されている。すなわち、支持突起１１、１１’が形成された一直線と固定溝１２、１２’が形成された一直線とは、互いに平行であり、距離が可能な限り最大となるように配置される。したがって、スライドプレート２０’が上下に移動するとき、それぞれのスプリング５０、５０’が変形する量が少なくなり、スプリング５０の寿命を延ばすようになる。また、２つのスプリング５０、５０’の一端と他端が、それぞれ固定溝１２、１２’に対して同一の側に回動可能に固定されている。したがって、スライドの際にスプリングの弾性力が一方向にのみ作用するようになっており、固定プレート１０’の固定溝１２とスライドプレート２０’の羽根部２３が一方向に密着してスライドされ、カバーの開閉時、カバーが左右に遊動することを防ぐことができる。
【０１１１】
また、それぞれのスプリング５０、５０’は、スライドプレート２０’が移動して、スライドプレート２０’の２つの貫通孔２１の中心と固定プレート１０’の保持突起１１の中心が一致するまで、スプリング５０、５０’の弾性力が移動を妨げる方向に作用し、一致する位置を経ると、スプリング５０、５０’の弾性力が移動を促進する方向に作用するようになる。したがって、ユーザは、カバーをスライドさせて開放しようとする場合、スライドプレート２０’の２つの貫通孔２１の中心と固定プレート１０’の支持突起１１の中心が一致するまでのみ力を加えれば、それ以後は、スプリング５０、５０’の弾性力により自ずとカバーが開放されるようになる。
【０１１２】
本実施例のそれぞれのプレートを、ステンレス鋼を用いて製造する場合、プレス加工により組立のための孔やスプリングの端部を支持するための貫通孔を一度に加工することができ、加工が容易であり、生産費用が節減される。
【０１１３】
また、ガイドブッシュは、磨耗することを防ぐものであり、頻繁に交替することなく、長時間用いることができる、耐摩耗性であり、動摩擦係数が小さいポリアセタール材質（ＰＯＭ）を用いており、ダンパーは、スライド作動時に発生する衝撃を吸収し、ガイドブッシュに衝撃が伝達され破損することを防ぐように、衝撃吸収が良好なウレタンゴムで作製することが好ましい。
【０１１４】
図２０は、本発明に係るスライド型携帯電話用のスライダ組立体の第９実施例の固定プレートを示す分解斜視図であり、図２１は、本発明に係るスライド型携帯電話用のスライダ組立体の第９実施例のスライドプレートを示す斜視図であり、図２２は、本発明の第９実施例によるアップ／ダウン維持手段の断面図であり、図２２の（ａ）は、スライドプレートを一方向に押す前の状態を示す断面図であり、（ｂ）は、スライドプレートの第３の永久磁石と固定プレートの第１の永久磁石との反発力が発生する部分を示す断面図であり、（ｃ）は、スライドプレートが一方向に押された後の状態を示す断面図であり、図２３は、本発明に係るスライド型携帯電話用のスライダー組立体の第１０実施例を示す分解斜視図であり、図２４は、本発明に係る第９及び第１０実施例のスライド型のスライダー組立体を有するスライド型携帯電話を示す底面図である。
【０１１５】
本実施例のスライド型携帯電話用のスライダー組立体は、直線運動をガイドするためのガイド部を有し、スライド型携帯電話本体の一面に固定される固定プレート１０と、固定プレート１０のガイド部にガイドされて直線運動可能に拘束され、携帯電話のカバーの前記一面の対向面に固定されるスライドプレート２０と、一端が固定プレート１０に回動可能に支持され、他端がスライドプレート２０に回動可能に支持され、スライドプレート２０の一定のスライドの位置を基準として、スライドプレート２０への加圧力の方向が切り替えられるようにするためのアップ／ダウン維持手段３０と、を備えている。また、固定プレート１０とスライドプレート２０のスライドする両側面は、摩擦により磨耗することを防ぐために、固定プレート１０の固定溝１２、１２’にガイドブッシュ１４、１４’が挿設される。
【０１１６】
図２０は、固定プレート１０を示す分解斜視図であり、固定プレート１０の長さ方向の両側部１３、１３’は、プレスにより対向して２段に折り曲げられた平行な一対の固定溝１２、１２’と、固定溝１２、１２’の折り曲げられた側面には、複数の貫通孔１３ａ、１３ａ’が形成される。また、固定プレート１０の両端の所定の位置にそれぞれ一対の第１の永久磁石１６、１６’が設けられ、携帯電話の本体１に固定するための複数のねじ孔と、アップ／ダウン維持手段３０の一端と結合するヒンジ孔１１が形成される。
【０１１７】
また、固定溝１２、１２’の長さ方向に挿入されるガイドブッシュ１４、１４’は、スライドプレート２０の羽根部２３、２３’が安着してスライドされるようにガイドする長さ方向に形成されたガイド溝１４ａ、１４ａ’と、固定プレート１０の貫通孔１３ａ、１３ａ’との対応面に形成された複数の突起１４ｂ、１４ｂ’とを有している。
【０１１８】
また、ガイドブッシュ１４、１４’の両端にそれぞれ設けられるダンパー１５、１５’は、固定プレート１０の端部よりもさらに突出して設置され、貫通孔１３ａ、１３ａ’に固定するように形成された突起１５ａ、１５ａ’と、スライドプレート２０の羽根部２３、２３’をガイドするガイド溝１５ｂ、１５ｂ’が形成される。また、ガイドブッシュ１４、１４’の両端にそれぞれ設けられるとき、ガイドブッシュ１４、１４’のガイド溝１４ａ、１４ａ’と、ダンパー１５、１５’のガイド溝１５ｂ、１５ｂ’が、同一線上に位置するように配置される。
【０１１９】
ガイドブッシュ１４、１４’は、繰り返してスライド作動するスライドプレート２０の羽根部２３、２３’と作動摩擦により磨耗することを防ぐものであり、頻繁に交替することなく、長時間用いることができる、耐摩耗性であり、動摩擦係数が小さいものであれば可能であるが、一般に用いられるポリアセタール材質（ＰОＭ）であれば好ましい。また、ダンパー１５、１５’は、スライド作動時に発生する衝撃を吸収し、ガイドブッシュ１４、１４’に衝撃が伝達され破損することを防ぐものであり、衝撃吸収のよいウレタンゴムで作製することがよい。
【０１２０】
図２１は、スライドプレート２０を示す斜視図であり、カバーに固定させるための複数のねじ孔が形成され、アップ／ダウン維持手段３０の他端と結合するヒンジ孔２１と、長さ方向の両側には、固定プレート１０の方向にプレスにより折り曲げられた折曲部２２、２２’と、外側に伸びてもう一回折り曲げられた羽根部２３、２３’とを有する。一対の羽根部２３、２３’は、長さ方向に対して上下方向にスライド可能に固定プレート１０の固定溝１２、１２’にそれぞれ設けられたガイドブッシュ１４、１４’及びダンパー１５、１５’にそれぞれ挿入される。
【０１２１】
また、固定プレート１０の両端部に設けられた第１の永久磁石１６、１６’と、反発力または引力が作用して、スライドプレート２０がアップ／ダウンされた位置において、スライドプレート２０の外側に加圧する位置にそれぞれ第２の永久磁石２４、２４’が設けられる。また、固定プレート１０に沿ってスライドするスライドプレート２０の加圧力が変わる位置に、固定プレート１０の第１の永久磁石１６、１６’と反発力または引力が作用するように第３の永久磁石２５、２５’がさらに設けられる。
【０１２２】
たとえば、固定プレート１０の第１の永久磁石１６、１６’がＮ極であれば、これに対応するスライドプレート２０の第２の永久磁石２４、２４’は、Ｎ極またはＳ極を形成することができる。第２の永久磁石２４、２４’がＮ極である場合は、互いに反発力が作用するため第１の永久磁石１６、１６’と第２の永久磁石２４、２４’は互いに押すようになり、この際、固定プレート１０に設けられた第１の永久磁石１６、１６’の位置は、スライドプレート２０に設けられた第２の永久磁石２４、２４’の位置よりも外側に設置される。
【０１２３】
これに対して、第２の永久磁石２４、２４’がＳ極である場合は、互いに引力が作用するため、第１の永久磁石１６、１６’と第２の永久磁石２４、２４’は互いに引っ張り、この際、固定プレート１０に設けられた第１の永久磁石１６、１６’の位置は、スライドプレート２０に設けられた第２の永久磁石２４、２４’の位置よりも内側に設置される。
【０１２４】
このように、固定プレート１０とスライドプレート２０の磁石の極が同じである場合は、反発力が作用するようになり、異なる場合は、引力が作用するため、固定プレート１０の第１の永久磁石１６、１６’とスライドプレート２０の第２の永久磁石２４、２４’の位置に応じて、様々に変形した形態で調和されるように配置することが可能である。
【０１２５】
図２２を参照して、本実施例の作動状態を説明すると、図２２の（ａ）は、スライドプレート２０の下部面の一端に固定プレート２０が配置された状態であり、この際、固定プレート１０のＮ極を有する第１の永久磁石１６よりも、スライドプレート２０のＮ極を有する第２の永久磁石２４が、内側に位置された状態であり、互いに反発力が作用するようになる。したがって、固定プレート２０を下部方向に力を加えない以上、第１の永久磁石１６が第２の永久磁石２４を押すようになり、現状態を維持するようになるものである。
【０１２６】
図２２の（ｂ）に示すように、スライドプレート２０を下部方向に加圧するようになると、アップ／ダウン維持手段により、スライドプレート２０が作動する。この際、スライドプレート２０の移動中、アップ／ダウン維持手段の加圧力の方向が変わる位置の付近において、瞬間的に止まるようになるデッドゾーンが発生する。これを防ぐために、第１の永久磁石１６と反発力が作用するように、デッドゾーンが発生するスライドプレート２０に、第３の永久磁石２５をさらに設けるようになる。したがって、スライドプレート２０を下部方向に加圧してデッドゾーン位置の付近に到達するようになると、第３の永久磁石２５と固定プレート１０の第１の永久磁石１６が反発力が作用して互いに押すようになることにより、デッドゾーンからスムーズに加圧力の方向が変わる方向へ作動する。
【０１２７】
また、第１の永久磁石１６と第３の永久磁石２５が互いに異なる極に引力が作用するようになっても、アップ／ダウン維持手段の加圧力の方向が変わる位置の付近のスライドプレート２０に第３の永久磁石２５を設けると、デッドゾーンにおいて止まることなく、スムーズに作動するようになる。
【０１２８】
このように、デッドゾーンを外れたスライドプレート２０の上部面の他端に固定プレート１０が配置されると、固定プレート１０の両端の上部に設けられた第１の永久磁石１６と、スライドプレート２０の両端の上部に設けられた第２の永久磁石２４とが、反発力が作用するようになる。したがって、固定プレート２０を上部方向に力を加えない以上、第１の永久磁石１６が第２の永久磁石２４を押して、現状態を維持するようになる。
【０１２９】
図２３は、本発明に係るスライド型携帯電話用のスライダ組立体の第１０実施例を示す分解斜視図である。
【０１３０】
本実施例のスライダ組立体は、携帯電話の本体に固定するための固定プレート１０’と、カバーに固定するためのスライドプレート２０’と、一端が固定プレート１０’に回動可能に支持され、他端が前記スライドプレート２０’に回動可能に支持されるアップ／ダウン維持手段と、固定プレート１０’とスライドプレート２０’のスライド部分が磨耗することを防ぐために、ガイドブッシュ１４、１４’及びダンパ１５、１５’と、を備えている。
【０１３１】
また、固定プレート１０の両端部に、それぞれ第１の永久磁石１６、１６’が設けられ、第１の永久磁石１６、１６’と反発力または引力が作用して、スライドプレート２０を外側に加圧する位置に、それぞれ第２の永久磁石２４、２４’が設けられる。また、スライドプレート２０の移動中に、アップ／ダウン維持手段の加圧力の方向が変わる位置の付近において、固定プレート１０の一対の第１の永久磁石１６、１６’のいずれか一つと反発力または引力が作用するように、スライドプレート２０の所定の位置にさらに第３の永久磁石２５、２５’が設けられる。この際、第３の永久磁石２５、２５’は、両端部に設けられた第２の永久磁石２４、２４’間に設置される。
【０１３２】
固定プレート１０’には、２つの支持突起１１、１１’が、固定溝１２、１２’と平行な一直線上にさらに形成されている。支持突起１１、１１’は、スライドプレート２０’に向かう面にプレス加工により突出し、外周面は円形であり、拡張した端部１１ａを有している。
【０１３３】
一方、固定溝１２、１２’の長さ方向に挿入されるガイドブッシュ１４、１４’及びダンパー１５、１５’は、本発明の第９実施例と同一に適用される。
【０１３４】
また、スライドプレート２０’は、長さ方向の両側には固定プレート１０’の方向にプレスにより折り曲げられた折曲部２２、２２’と、外側に伸びてもう一回折り曲げられた羽根部２３、２３’とを有する。一対の羽根部２３、２３’は、長さ方向に対して上下方向にスライド可能に固定プレート１０’の固定溝１２、１２’にそれぞれ設けられたガイドブッシュ１４、１４’及びダンパー１５、１５’にそれぞれ挿入される。また、スライドプレート２０’には、スプリング５０、５０’の一端が挿入され、回動可能に支持するための２つの貫通孔２１、２１’が形成されている。また、スライドプレート２０’をカバーに固定させるための複数のねじ孔が形成されている。
【０１３５】
アップ／ダウン維持手段である２つのスプリング５０、５０’は、それぞれ両端が延びた鋼線からなるコイルスプリングである。コイルスプリングの延びた両端の中央部には、鋼線が数回巻取されたスプリング部５３が形成されている。それぞれのスプリングの一端５２は、前記固定プレート１０’の円形の支持突起１１の外周の一部を取り囲んで支持可能に、一部が開放した円形に折り曲げられている。また、他端５１は、スライドプレート２０’の貫通孔２１に挿入され、回動可能に支持するように、円形に折り曲げられた一端５２の円形の中心軸方向へ鋼線が１次に折り曲げられ、１次に折り曲げられた部分の端部が２次に垂直になるように折り曲げられている。
【０１３６】
本実施例のアップ／ダウン維持手段５０の作動状態を簡単に説明すると、固定プレート１０’の両側の固定溝１２、１２’に設けられたガイドブッシュ１４、１４’及びダンパー１５、１５’のガイド溝１４ａ、１４ａ’、１５ｂ、１５ｂ’にスライドプレート２０’の両側の羽根部２３、２３’が挿入され、長さ方向の上下にガイド溝１４ａ、１４ａ’、１５ｂ、１５ｂ’に沿って移動可能になっている。また、２つのスプリング５０の一端５２は、固定プレート１０’の支持突起１１の外周の一部を取り囲んで回動可能に支持されており、他端５１は、スライドプレート２０’の貫通孔２１に挿入されて回動可能に支持されている。したがって、スライドプレート２０’がスプリング５０により上下に決まった距離のみを移動するように拘束される。
【０１３７】
特に、固定プレート１０’の２つの支持突起１１、１１’は、固定溝１２と平行な一直線上に配置され、スライドプレート２０’の２つの貫通孔２１、２１’も、固定溝１２に挿入される羽根部２３に平行な一直線上に配置されている。すなわち、支持突起１１、１１’が形成された一直線と固定溝１２、１２’が形成された一直線とは、互いに平行であり、距離が可能な限り最大となるように配置される。したがって、スライドプレート２０’が上下に移動するとき、それぞれのスプリング５０、５０’が変形する量が少なくなり、スプリング５０の寿命を延ばすことができるようになる。また、２つのスプリング５０、５０’の一端と他端がそれぞれ固定溝１２、１２’に対して、同一側に回動可能に固定されている。したがって、スライド時、スプリングの弾性力が一方向にのみ作用するようになり、固定プレート１０’の固定溝１２とスライドプレート２０’の羽根部２３が、一方向に密着してスライドされ、カバーの開閉時にカバーが左右に遊動することを防ぐことができる。
【０１３８】
また、それぞれのスプリング５０は、スライドプレート２０’が移動し、スライドプレート２０’の２つの貫通孔２１の中心と固定プレート１０’の支持突起１１の中心が一致するまで、スプリング５０の弾性力が移動を妨げる方向に作用し、一致する位置を経ると、スプリング５０の弾性力が移動を促進する方向に作用するようになる。したがって、ユーザは、カバーをスライドさせて開放しようとする場合、スライドプレート２０’の２つの貫通孔２１の中心と固定プレート１０’の支持突起１１の中心が一致するまでのみ力を加えれば、それ以後は、スプリング５０の弾性力により自ずとカバーが開放されるようになる。
【０１３９】
以下では、前記のスライダ組立体を備えたスライド型携帯電話について説明する。
【０１４０】
図２４は、本発明に係る第９及び第１０実施例のスライド型のスライダ組立体を有するスライド型携帯電話を示す底面図であり、携帯電話の本体１に設けられる固定プレート１０と、携帯電話のカバー２に設けられるスライドプレート２０と、スライドプレート２０を作動させるアップ／ダウン維持手段３０と、を備えるスライド携帯電話１０００で構成される。
【０１４１】
固定プレート１０は、両端部にそれぞれ一対の第１の永久磁石１６、１６’が設けられ、第１の永久磁石１６、１６’と反発力または引力が作用するように、デッドゾーンが発生するスライドプレート２０に一対の第３の永久磁石２５、２５’がさらに設けられる。したがって、デッドゾーンでは、スライドプレート２０が止まることなく、自ずとアップ／ダウン維持手段３０の加圧力の方向が変わる方向に作動される。
【０１４２】
スライドプレート２０が設けられた携帯電話のカバー２の両端部には、第１の永久磁石１６、１６’と引力が作用するように、対向する位置に第２の永久磁石２ａ、２ａ’が設置される。すなわち、携帯電話のカバー２を上部方向に押し上げると、固定プレート１０の両端の下部方向に設けられた第１の永久磁石１６、１６’と、スライドプレート２０が設けられた携帯電話のカバー２の両端の下部方向に設けられた第２の永久磁石２ａ、２ａ’が、異なる極性を有するため、引っ張る引力が発生し、携帯電話のカバー２が上部に開放された状態で遊動することなく固定される。
【０１４３】
これに対して、携帯電話のカバー２０を下部方向に加圧すると、固定プレート１０の両端の上部方向に設けられた第１の永久磁石１６、１６’と、スライドプレート２０が設けられた携帯電話のカバー２の両端の上部方向に設けられた第２の永久磁石２ａ、２ａ’が、異なる極性を有するため、引っ張る引力が発生し、携帯電話のカバー２が閉鎖された状態で遊動することなく固定される。
【０１４４】
本発明によれば、スライダー組立体のアップ／ダウン維持手段でスライドプレートのスライド長さを制限することができるスライダー組立体を提供し、スライド型携帯電話の本体やカバーに別途のスライド長さを制限するためのストッパーを設けなくてもよいので、製造コストを低減することができるようになる。
【０１４５】
また、本発明は、スライドプレートのアップ／ダウン状態を維持するための弾性手段として、トーションスプリングの代わりに、引張スプリングを用いるので、耐久性が増大し、トーションスプリングを用いる場合よりも、スライドのための加圧力が均一な携帯電話を提供することができるようになる。
【０１４６】
また、本発明によれば、固定プレートに接触してスライドされるスライドプレートのガイド溝に摩擦係数の少ない滑り部材を設け、耐久性が増大し、スライド時の騒音を減少させ、携帯電話に固定時、内部に設けられたフレキシブルＰＣＢと干渉しないように、スプリング係止部を形成し、誤作動による不便さを改善して長時間用いることができるという効果がある。
【０１４７】
また、本発明によれば、組立のための機械加工を別途に必要とせず、プレス加工により製造された固定プレートとスライドプレートを有するスライダー組立体を提供し、製造費用と時間を節減し、生産性を向上することができるようになる。
【０１４８】
本発明によれば、スライドプレートに接触してスライドされる固定プレートの固定溝に、摩擦係数の少ない滑り部材を設けることにより、耐久性が増大し、スライド時の騒音を減らすという効果がある。
【０１４９】
また、本発明によれば、スライドプレートが上下にスライドされるとき、スプリングの変形量が最小となるように配置されたスライダー組立体を提供し、スプリングの寿命を延ばし、それぞれのプレートの材質がステンレス鋼で製造し、衝撃に容易に損傷しないようになり、耐久性がよくなる。
【０１５０】
また、本発明によれば、ガイドブッシュの両端に衝撃を吸収することのできる柔らかい材質の緩衝部材がさらに設けられるので、携帯電話のカバーを開閉するときも、衝撃によるガイドブッシュの破損がないため、長時間の使用が可能であり、それによる付帯費用が節減される。また、本発明によれば、スライドプレートが設けられた携帯電話のカバーがスライドされても、固定プレートと接触せずに、緩衝部材と接するので、頻繁に使用しても騒音が発生しないという効果がある。
【０１５１】
また、本発明によれば、デッドゾーン区間に固定プレートの永久磁石と対応するスライドプレートの一端に永久磁石をさらに設け、デッドゾーンにおいて瞬間的に止まることなく、スムーズにアップ／ダウンされるように改善した。また、固定プレートとスライドプレートの両端部に反発力または引力が作用する複数の永久磁石を設けることで、アップ／ダウン維持手段のスプリングの弾性力が緩くなっても、携帯電話のカバーがアップ／ダウンされた状態で遊動することなく、維持され得るという効果がある。
【図１】
2010161796.tif 000003
【図２】
2010161796.tif 000004
【図３】
2010161796.tif 000005
【図４】
2010161796.tif 000006
【図５】
2010161796.tif 000007
【図６】
2010161796.tif 000008
【図７】
2010161796.tif 000009
【図８】
2010161796.tif 000010
【図９】
2010161796.tif 000011
【図１０】
2010161796.tif 000012
【図１１】
2010161796.tif 000013
【図１２】
2010161796.tif 000014
【図１３】
2010161796.tif 000015
【図１４】
2010161796.tif 000016
【図１５】
2010161796.tif 000017
【図１６】
2010161796.tif 000018
【図１７】
2010161796.tif 000019
【図１８】
2010161796.tif 000020
【図１９】
2010161796.tif 000021
【図２０】
2010161796.tif 000022
【図２１】
2010161796.tif 000023
【図２２】
2010161796.tif 000024
【図２３】
2010161796.tif 000025
【図２４】
2010161796.tif 000026
【図２５】
2010161796.tif 000027
【図２６】
2010161796.tif 000028
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
スライドプレートの直線運動をガイドするためのガイド部を有し、スライド型携帯電話の本体の一面に固定される固定プレートと、前記固定プレートの前記ガイド部に直線的にガイドされ、前記携帯電話のカバーの前記一面に対向する面に固定されるスライドプレートと、一端が前記固定プレートに回動可能に支持され、他端が前記スライドプレートに回動可能に支持され、前記スライドプレートの一定のスライドの位置から前記スライドプレートを押すための加圧力の方向が切り替えられるようにするためのアップ／ダウン維持手段と、を備えるスライド型携帯電話用のスライダー組立体において、
前記固定プレートの前記ガイド部は、前記固定プレートの両側部を対向するように２段に折り曲げて平行に形成された、長手方向に延びる一対の固定溝と、前記スライドプレートの両端が挿入され、スライドされることをガイドするためのガイド溝が形成され、前記それぞれの固定溝に挿設された一対のガイドブッシュであって、一方の前記ガイドブッシュの前記ガイド溝と他方の前記ガイドブッシュの前記ガイド溝とが対向して配置された一対のガイドブッシュと、を備え、
前記スライドプレートは、両側が折り曲げられ一対の羽根部が形成されており、前記羽根部の各々は、対応する前記ガイドブッシュの前記ガイド溝に挿入され、前記ガイド溝に沿って直線運動可能に設けられた
ことを特徴とするスライド型携帯電話用のスライダー組立体。
【請求項２】
前記各ガイドブッシュは、対応する前記固定溝に挿設される部分と、当該対応する固定溝の外に突出する他の部分と、を有する
ことを特徴とする請求項１に記載のスライド型携帯電話用のスライダー組立体。
【請求項３】
前記固定プレートは、前記両側部に穴を有し、
前記各ガイドブッシュは、前記穴に挿設される部分を有する
ことを特徴とする請求項１又は２に記載のスライド型携帯電話用のスライダー組立体。
【請求項４】
前記各ガイドブッシュは、前記固定プレートに対して動かないように、対応する前記固定溝に挿設されている
ことを特徴とする請求項３に記載のスライド型携帯電話用のスライダー組立体。
【請求項５】
前記各ガイドブッシュの長手方向の両端にダンパーを有する
ことを特徴とする請求項１乃至４のいずれかに記載のスライド型携帯電話用のスライダー組立体。
【請求項６】
前記ダンパーは、前記固定溝に挿設される部分と、当該固定溝の外に突出する他の部分と、を有する
ことを特徴とする請求項５に記載のスライド型携帯電話用のスライダー組立体。
【請求項７】
前記ダンパーは、対応する前記ガイドブッシュの前記ガイド溝と同一線上に位置するように配置された溝を有する
ことを特徴とする請求項５又は６に記載のスライド型携帯電話用のスライダー組立体。
【請求項８】
前記ダンパーの前記溝は、対応する前記ガイドブッシュの前記ガイド溝を延長するよう配置されている
ことを特徴とする請求項７に記載のスライド型携帯電話用のスライダー組立体。
【請求項９】
前記アップ／ダウン維持手段は、前記固定プレートと前記スライドプレートとの間を相互に連結し、前記固定プレートと前記スライドプレートとの間に力を作用させるスプリングである
ことを特徴とする請求項１乃至８のいずれかに記載のスライド型携帯電話用のスライダー組立体。
【請求項１０】
前記アップ／ダウン維持手段は、
第一のヒンジ部と第一の対向端部とを有し、前記第一のヒンジ部又はその近傍で前記固定プレートに回動可能に連結された第一のリンクスライダーと、
第二のヒンジ部と第二の対向端部とを有し、前記第二のヒンジ部又はその近傍で前記スライドプレートに回動可能に連結された第二のリンクスライダーと、
前記第一のリンクスライダーと前記第二のリンクスライダーとを相互に連結し、前記第一のリンクスライダーと前記第二のリンクスライダーとの間に回復力を作用させるバネと、
を備え、
前記第一のリンクスライダーと前記第二のリンクスライダーとは、前記第一の対向端部が、前記第二のヒンジ部と前記第二の対向端部との間をスライド可能となるように、互いに係止されている
ことを特徴とする請求項１乃至８のいずれかに記載のスライド型携帯電話用のスライダー組立体。
【請求項１１】
表面に複数のキーが設けられた本体と、
前記本体の前記表面上にスライド可能に設置され、前面に液晶デイスプレーが設けられたカバーと、
前記本体と前記カバーとの間に設けられた請求項１乃至１０のいずれかに記載のスライダー組立体と、を備え、
前記スライダー組立体の前記固定プレートは、前記本体に固定設置され、
前記スライダー組立体の前記スライドプレートは、前記カバーに固定設置される
ことを特徴とするスライド型携帯電話。
【手続補正２】
【補正対象書類名】明細書
【補正対象項目名】００５９
【補正方法】変更
【補正の内容】
【００５９】
第３の実施例のスライド型携帯電話のスライダー組立体は、携帯電話の本体に固定するための固定プレート１０と、カバーに固定されるためのスライドプレート２０と、一端が前記固定プレート１０に回動可能に支持され、他端が前記スライドプレート２０に回動可能に支持され、前記スライドプレート２０の一定のスライドの位置を基準として、スライドプレート２０への加圧力の方向が切り替えられるように設けられたアップ／ダウン維持手段３０と、を備える。前記固定プレート１０とスライドプレート２０のスライドする両側面は、摩擦により磨耗することを防ぐために、ガイドブッシュ１２２が、前記固定プレート１０の固定溝１２１に挿設される。
【手続補正３】
【補正対象書類名】明細書
【補正対象項目名】００６０
【補正方法】変更
【補正の内容】
【００６０】
前記ガイドブッシュ１２２は、前記スライドプレート２０のガイド部２１１が挿入される溝１２２ａと、一側面に所定の間隔をおいて突出した固定突起１２２ｂと、前記固定プレート１０の固定溝１２１に挟持される付着面１２２ｃとで形成される。また、繰り返してスライド作動する固定プレート１０の固定溝１２１が、作動摩擦により磨耗することを防ぐものであり、頻繁に交替することなく、長時間用いることができ、材質は、耐摩耗性であり、動摩擦係数が小さいものであれば可能であるが、一般に使用されるポリアセタール材質（ｐｏｌｙｏｘｙｍｅｔｈｙｌｅｎｅ：ＰＯＭ）であれば好ましい。